(57)【要約】【課題】コンピュータに不具合が発生しても、コンピュータの保証時間の経過状態を表示することができる保証時間経過状態表示装置を提供する。【解決手段】計時手段３には、保守契約によって保証される電源投入時間が予めセットされており、コンピュータ８の電源が投入されていると電源投入状態判定手段２が判定している間は、減算計時を行い、そうでない時は、減算計時を停止する。電源投入時間判定手段４１は、計時手段３の示す時間がゼロになったか否かを判定すると共に、ゼロになったと判定した後は、保守契約によって保証される電源投入時間が経過したことを電源投入時間用表示手段７１に表示させる。【選択図】図４
2008250675.tif 000002
【特許請求の範囲】
【請求項１】
ＵＳＢ（Ｕｎｉｖｅｒｓａｌ  Ｓｅｒｉａｌ  Ｂｕｓ）ポートを備え、電源を投入すると前記ＵＳＢポートに規定の電圧が出力されるコンピュータの保証時間の経過状態を表示する保証時間経過状態表示装置であって、
前記ＵＳＢポートに規定の電圧が出力されている場合に、前記コンピュータの電源が投入されていると判定する電源投入状態判定手段と、
保証される電源投入時間が予めセットされていて、前記コンピュータの電源が投入されていると前記電源投入状態判定手段が判定している間は減算計時を行い、前記コンピュータの電源が投入されていると前記電源投入状態判定手段が判定していない間は減算計時を停止する計時手段と、
該計時手段の時間がゼロになったか否かを判定すると共に、ゼロになったと判定した後は、保証される電源投入時間が経過したことを電源投入時間用表示手段に表示させる電源投入時間判定手段と、
前記電源投入状態判定手段、前記計時手段、前記電源投入時間判定手段、及び前記電源投入時間用表示手段に電力を供給する電池とを備えたことを特徴とする保証時間経過状態表示装置。
【請求項２】
ＵＳＢポートを備え、電源を投入すると前記ＵＳＢポートに規定の電圧が出力されるコンピュータの保証時間の経過状態を表示する保証時間経過状態表示装置であって、
前記ＵＳＢポートに規定の電圧が出力されている場合に、前記コンピュータの電源が投入されていると判定する電源投入状態判定手段と、
ゼロが予めセットされていて、前記コンピュータの電源が投入されていると前記電源投入状態判定手段が判定している間は計時を行い、前記コンピュータの電源が投入されていると前記電源投入状態判定手段が判定していない間は計時を停止する計時手段と、
保証される電源投入時間を記憶する保証電源投入時間記憶手段と、
該保証電源投入時間記憶手段に記憶されている時間よりも前記計時手段の時間の方が長いか否かを判定すると共に、前記計時手段の時間の方が長いと判定した後は、保証される電源投入時間が経過したことを電源投入時間用表示手段に表示させる電源投入時間判定手段と、
前記電源投入状態判定手段、前記計時手段、前記電源投入時間判定手段、及び前記電源投入時間用表示手段に電力を供給する電池とを備えたことを特徴とする保証時間経過状態表示装置。
【請求項３】
ＵＳＢポートを備え、電源を投入すると前記ＵＳＢポートに規定の電圧が出力されるコンピュータの保証時間の経過状態を表示する保証時間経過状態表示装置であって、
前記ＵＳＢポートに規定の電圧が出力されている場合に、前記コンピュータの電源が投入されていると判定する電源投入状態判定手段と、
計時開始スイッチがオンされた時にゼロから計時を開始する計時手段と、
前記コンピュータの電源が投入されたと前記電源投入状態判定手段が判定した時に、前記計時手段の時間を記憶する電源投入開始時間記憶手段と、
前記コンピュータの電源が投入されていると前記電源投入状態判定手段が判定している間は、その時点までに前記コンピュータの電源が投入されていた累積の時間を算出する電源投入時間算出手段と、
該電源投入時間算出手段によって算出された時間を記憶する算出時間記憶手段と、
前記コンピュータの電源が切断されたと前記電源投入状態判定手段が判定した時に、前記算出時間記憶手段に記憶されている時間を読み出して記憶する累積電源投入時間記憶手段と、
保証される電源投入時間を記憶する保証電源投入時間記憶手段と、
該保証電源投入時間記憶手段に記憶されている時間よりも前記算出時間記憶手段に記憶されている時間の方が長いか否かを判定すると共に、前記算出時間記憶手段に記憶されている時間の方が長いと判定した後は、保証される電源投入時間が経過したことを電源投入時間用表示手段に表示させる電源投入時間判定手段と、
保証される設置時間を記憶する保証設置時間記憶手段と、
該保証設置時間記憶手段に記憶されている時間よりも前記計時手段の時間の方が長いか否かを判定すると共に、前記計時手段の時間の方が長いと判定した後は、保証される設置時間が経過したことを設置時間用表示手段に表示させる設置時間判定手段と、
前記電源投入状態判定手段、前記計時手段、前記電源投入時間判定手段、前記電源投入時間用表示手段、前記電源投入時間算出手段、前記設置時間判定手段、及び前記設置時間用表示手段に電力を供給する電池とを備え、
前記電源投入時間算出手段は、前記計時手段の時間から前記電源投入開始時間記憶手段に記憶されている時間を減じ、前記累積電源投入時間記憶手段に記憶されている時間を加えて、その時点までに前記コンピュータの電源が投入されていた累積の時間を算出することを特徴とする保証時間経過状態表示装置。
【請求項４】
ＵＳＢポートを備え、電源を投入すると前記ＵＳＢポートに規定の電圧が出力されるコンピュータの保証時間の経過状態を表示する保証時間経過状態表示装置であって、
前記ＵＳＢポートに規定の電圧が出力されている場合に、前記コンピュータの電源が投入されていると判定する電源投入状態判定手段と、
計時開始スイッチがオンされた時にゼロから計時を開始する計時手段と、
保証電源投入時間記憶領域、算出時間記憶領域、累積電源投入時間記憶領域、電源投入開始時間記憶領域、及び保証設置時間記憶領域を有する記憶手段と、
該記憶手段の保証設置時間記憶領域に記憶されている時間よりも前記計時手段の時間の方が長いか否かを判定すると共に、前記計時手段の時間の方が長いと判定した後は、保証される設置時間が経過したことを設置時間用表示手段に表示させる設置時間判定手段と、
前記記憶手段及び保証される電源投入時間が経過したことを表示する電源投入時間用表示手段を制御する制御手段と、
前記電源投入状態判定手段、前記計時手段、前記制御手段、前記電源投入時間用表示手段、前記設置時間判定手段、及び前記設置時間用表示手段に電力を供給する電池とを備え、
前記記憶手段の保証電源投入時間記憶領域と保証設置時間記憶領域とには、それぞれ、保証される電源投入時間と保証される設置時間とが予め記憶されており、
前記制御手段は、
前記コンピュータの電源が投入されたと前記電源投入状態判定手段が判定した時に、前記計時手段の時間を前記記憶手段の電源投入開始時間記憶領域に記憶させ、
前記コンピュータの電源が投入されていると前記電源投入状態判定手段が判定している間は、前記計時手段の時間から前記記憶手段の電源投入開始時間記憶領域に記憶されている時間を減じ、前記記憶手段の累積電源投入時間記憶領域に記憶されている時間を加えて、その時点までに前記コンピュータの電源が投入されていた累積の時間を算出し、該時間を前記記憶手段の算出時間記憶領域に記憶させ、
前記コンピュータの電源が切断されたと前記電源投入状態判定手段が判定した時に、前記記憶手段の算出時間記憶領域に記憶されている時間を読み出し、該時間を前記記憶手段の累積電源投入時間記憶領域に記憶させ、
前記記憶手段の保証電源投入時間記憶領域に記憶されている時間よりも前記記憶手段の算出時間記憶領域に記憶されている時間の方が長いか否かを判定し、前記記憶手段の算出時間記憶領域に記憶されている時間の方が長いと判定した後は、保証される電源投入時間が経過したことを前記電源投入時間用表示手段に表示させることを特徴とする保証時間経過状態表示装置。
【請求項５】
前記設置時間用表示手段は、発光ダイオードの点灯によって、保証される設置時間が経過したことを表示することを特徴とする請求項３又は４に記載の保証時間経過状態表示装置。
【請求項６】
前記電源投入時間用表示手段は、発光ダイオードの点灯によって、保証される電源投入時間が経過したことを表示することを特徴とする請求項１乃至５の何れか１項に記載の保証時間経過状態表示装置。
【発明の詳細な説明】
【技術分野】
【０００１】
本発明は、保守契約によって保証される時間の経過状態を表示する保証時間経過状態表示装置に関し、より詳しくは、ＵＳＢ（Ｕｎｉｖｅｒｓａｌ  Ｓｅｒｉａｌ  Ｂｕｓ）ポートを備え、電源を投入するとこのＵＳＢポートに規定の電圧が出力されるコンピュータの保証時間の経過状態を表示する保証時間経過状態表示装置に関する。
【背景技術】
【０００２】
近年、電子機器の精密化や、その上で動くプログラムの複雑化により、不具合が発生した場合のリスクが大きくなっており、保守契約が締結されることが多くなっている。従来の保守契約は、予め保証される時間を定めておき、その時間内であれば、安価又は無償で修理を行うというものであった。そして、保証される時間は、「購入日から１年間」というように、暦の上での時間が指定される場合が多かった。
【０００３】
所で、不具合発生頻度が、暦の上での時間よりも、実際に電源が投入されて使用された時間に関係する部品が組み込まれている電子機器がある。例えば、液晶ディスプレイのバックライトや、コンピュータのハードディスクなどは、実際に電源が投入されて使用された時間が増加するに従って、不具合発生頻度も増加する。
【０００４】
このような電子機器の保守契約では、従来の暦の上の保証時間に加えて、実際に電源が投入されて使用された時間が設定される場合がある。このため、電子機器が実際に電源が投入されて使用された時間をカウントする必要がある。以下、従来の暦の上での保証時間を「設置時間」と、実際に電源が投入されて使用された時間を「電源投入時間」と表記する。
【０００５】
特許文献１は、装置（電子機器）自体が自らの保証期間を示す保証情報を報知する技術を開示している。
【０００６】
【特許文献１】特許第３６３２８２４号公報
【発明の開示】
【発明が解決しようとする課題】
【０００７】
特許文献１の技術は、装置自体が自らの保証期間を示す保証情報を報知する構成である。このため、装置（電子機器）自体が正常動作する場合には、保証情報を報知できるが、装置（電子機器）自体に不具合が発生した場合には、保証情報を報知できなくなることがあるという問題があった。特に、コンピュータのような電子機器では、不具合によって起動できなくなる場合が多く、実際に保守契約を使用する場合に、使用者が保証情報を知ることができないという致命的な問題があった。
【０００８】
本発明は、上述した点に鑑みてなされたものであり、コンピュータに不具合が発生しても、コンピュータの保証時間の経過状態を表示することができる保証時間経過状態表示装置を提供することを目的とする。
【課題を解決するための手段】
【０００９】
請求項１に記載の保証時間経過状態表示装置は、ＵＳＢ（Ｕｎｉｖｅｒｓａｌ  Ｓｅｒｉａｌ  Ｂｕｓ）ポートを備え、電源を投入すると前記ＵＳＢポートに規定の電圧が出力されるコンピュータの保証時間の経過状態を表示する保証時間経過状態表示装置であって、前記ＵＳＢポートに規定の電圧が出力されている場合に、前記コンピュータの電源が投入されていると判定する電源投入状態判定手段と、保証される電源投入時間が予めセットされていて、前記コンピュータの電源が投入されていると前記電源投入状態判定手段が判定している間は減算計時を行い、前記コンピュータの電源が投入されていると前記電源投入状態判定手段が判定していない間は減算計時を停止する計時手段と、該計時手段の時間がゼロになったか否かを判定すると共に、ゼロになったと判定した後は、保証される電源投入時間が経過したことを電源投入時間用表示手段に表示させる電源投入時間判定手段と、前記電源投入状態判定手段、前記計時手段、前記電源投入時間判定手段、及び前記電源投入時間用表示手段に電力を供給する電池とを備えたことを特徴とする。
【００１０】
請求項１に記載の保証時間経過状態表示装置によれば、外部から電源の供給を受けることなく、保証される電源投入時間をカウントし、保証される電源投入時間が経過した際には、その旨表示することができる。
【００１１】
請求項２に記載の保証時間経過状態表示装置は、ＵＳＢポートを備え、電源を投入すると前記ＵＳＢポートに規定の電圧が出力されるコンピュータの保証時間の経過状態を表示する保証時間経過状態表示装置であって、前記ＵＳＢポートに規定の電圧が出力されている場合に、前記コンピュータの電源が投入されていると判定する電源投入状態判定手段と、ゼロが予めセットされていて、前記コンピュータの電源が投入されていると前記電源投入状態判定手段が判定している間は計時を行い、前記コンピュータの電源が投入されていると前記電源投入状態判定手段が判定していない間は計時を停止する計時手段と、保証される電源投入時間を記憶する保証電源投入時間記憶手段と、該保証電源投入時間記憶手段に記憶されている時間よりも前記計時手段の時間の方が長いか否かを判定すると共に、前記計時手段の時間の方が長いと判定した後は、保証される電源投入時間が経過したことを電源投入時間用表示手段に表示させる電源投入時間判定手段と、前記電源投入状態判定手段、前記計時手段、前記電源投入時間判定手段、及び前記電源投入時間用表示手段に電力を供給する電池とを備えたことを特徴とする。
【００１２】
請求項２に記載の保証時間経過状態表示装置によれば、外部から電源の供給を受けることなく、保証される電源投入時間をカウントし、保証される電源投入時間が経過した際には、その旨表示することができる。
【００１３】
請求項３に記載の保証時間経過状態表示装置は、ＵＳＢポートを備え、電源を投入すると前記ＵＳＢポートに規定の電圧が出力されるコンピュータの保証時間の経過状態を表示する保証時間経過状態表示装置であって、前記ＵＳＢポートに規定の電圧が出力されている場合に、前記コンピュータの電源が投入されていると判定する電源投入状態判定手段と、計時開始スイッチがオンされた時にゼロから計時を開始する計時手段と、前記コンピュータの電源が投入されたと前記電源投入状態判定手段が判定した時に、前記計時手段の時間を記憶する電源投入開始時間記憶手段と、前記コンピュータの電源が投入されていると前記電源投入状態判定手段が判定している間は、その時点までに前記コンピュータの電源が投入されていた累積の時間を算出する電源投入時間算出手段と、該電源投入時間算出手段によって算出された時間を記憶する算出時間記憶手段と、前記コンピュータの電源が切断されたと前記電源投入状態判定手段が判定した時に、前記算出時間記憶手段に記憶されている時間を読み出して記憶する累積電源投入時間記憶手段と、保証される電源投入時間を記憶する保証電源投入時間記憶手段と、該保証電源投入時間記憶手段に記憶されている時間よりも前記算出時間記憶手段に記憶されている時間の方が長いか否かを判定すると共に、前記算出時間記憶手段に記憶されている時間の方が長いと判定した後は、保証される電源投入時間が経過したことを電源投入時間用表示手段に表示させる電源投入時間判定手段と、保証される設置時間を記憶する保証設置時間記憶手段と、該保証設置時間記憶手段に記憶されている時間よりも前記計時手段の時間の方が長いか否かを判定すると共に、前記計時手段の時間の方が長いと判定した後は、保証される設置時間が経過したことを設置時間用表示手段に表示させる設置時間判定手段と、前記電源投入状態判定手段、前記計時手段、前記電源投入時間判定手段、前記電源投入時間用表示手段、前記電源投入時間算出手段、前記設置時間判定手段、及び前記設置時間用表示手段に電力を供給する電池とを備え、前記電源投入時間算出手段は、前記計時手段の時間から前記電源投入開始時間記憶手段に記憶されている時間を減じ、前記累積電源投入時間記憶手段に記憶されている時間を加えて、その時点までに前記コンピュータの電源が投入されていた累積の時間を算出することを特徴とする。
【００１４】
請求項３に記載の保証時間経過状態表示装置によれば、外部から電源の供給を受けることなく、保証される電源投入時間及び保証される設置時間をカウントし、保証される電源投入時間が経過した際及び保証される設置時間が経過した際には、その旨表示することができる。
【００１５】
請求項４に記載の保証時間経過状態表示装置は、ＵＳＢポートを備え、電源を投入すると前記ＵＳＢポートに規定の電圧が出力されるコンピュータの保証時間の経過状態を表示する保証時間経過状態表示装置であって、前記ＵＳＢポートに規定の電圧が出力されている場合に、前記コンピュータの電源が投入されていると判定する電源投入状態判定手段と、計時開始スイッチがオンされた時にゼロから計時を開始する計時手段と、保証電源投入時間記憶領域、算出時間記憶領域、累積電源投入時間記憶領域、電源投入開始時間記憶領域、及び保証設置時間記憶領域を有する記憶手段と、該記憶手段の保証設置時間記憶領域に記憶されている時間よりも前記計時手段の時間の方が長いか否かを判定すると共に、前記計時手段の時間の方が長いと判定した後は、保証される設置時間が経過したことを設置時間用表示手段に表示させる設置時間判定手段と、前記記憶手段及び保証される電源投入時間が経過したことを表示する電源投入時間用表示手段を制御する制御手段と、前記電源投入状態判定手段、前記計時手段、前記制御手段、前記電源投入時間用表示手段、前記設置時間判定手段、及び前記設置時間用表示手段に電力を供給する電池とを備え、前記記憶手段の保証電源投入時間記憶領域と保証設置時間記憶領域とには、それぞれ、保証される電源投入時間と保証される設置時間とが予め記憶されており、前記制御手段は、前記コンピュータの電源が投入されたと前記電源投入状態判定手段が判定した時に、前記計時手段の時間を前記記憶手段の電源投入開始時間記憶領域に記憶させ、前記コンピュータの電源が投入されていると前記電源投入状態判定手段が判定している間は、前記計時手段の時間から前記記憶手段の電源投入開始時間記憶領域に記憶されている時間を減じ、前記記憶手段の累積電源投入時間記憶領域に記憶されている時間を加えて、その時点までに前記コンピュータの電源が投入されていた累積の時間を算出し、該時間を前記記憶手段の算出時間記憶領域に記憶させ、前記コンピュータの電源が切断されたと前記電源投入状態判定手段が判定した時に、前記記憶手段の算出時間記憶領域に記憶されている時間を読み出し、該時間を前記記憶手段の累積電源投入時間記憶領域に記憶させ、前記記憶手段の保証電源投入時間記憶領域に記憶されている時間よりも前記記憶手段の算出時間記憶領域に記憶されている時間の方が長いか否かを判定し、前記記憶手段の算出時間記憶領域に記憶されている時間の方が長いと判定した後は、保証される電源投入時間が経過したことを前記電源投入時間用表示手段に表示させることを特徴とする。
【００１６】
請求項４に記載の保証時間経過状態表示装置によれば、外部から電源の供給を受けることなく、保証される電源投入時間及び保証される設置時間をカウントし、保証される電源投入時間が経過した際及び保証される設置時間が経過した際には、その旨表示することができる。
【００１７】
請求項５に記載の保証時間経過状態表示装置は、請求項３又は４において、前記設置時間用表示手段は、発光ダイオードの点灯によって、保証される設置時間が経過したことを表示することを特徴とする。
【００１８】
請求項５に記載の保証時間経過状態表示装置によれば、保証される設置時間が経過したことを、発光ダイオードの点灯によって使用者に知らせることができる。
【００１９】
請求項６に記載の保証時間経過状態表示装置は、請求項１乃至５の何れか１項において、前記電源投入時間用表示手段は、発光ダイオードの点灯によって、保証される電源投入時間が経過したことを表示することを特徴とする。
【００２０】
請求項６に記載の保証時間経過状態表示装置によれば、使用者は、保証される電源投入時間が経過したことを、発光ダイオードの点灯によって使用者に知らせることができる。
【発明の効果】
【００２１】
本発明によれば、外部から電源の供給を受けることなく、保証される電源投入時間をカウントし、保証される電源投入時間が経過した際には、その旨表示することができるため、コンピュータに不具合が発生した場合であっても、使用者は、コンピュータの電源投入時間の経過状態を知ることができる。
【００２２】
更に、本発明によれば、外部から電源の供給を受けることなく、保証される電源投入時間及び保証される設置時間をカウントし、保証される電源投入時間が経過した際及び保証される設置時間が経過した際には、その旨表示することができるため、コンピュータに不具合が発生した場合であっても、使用者は、コンピュータの電源投入時間及び設置時間の経過状態を知ることができる。
【００２３】
更に、本発明によれば、保証される設置時間が経過したことを、発光ダイオードの点灯によって使用者に知らせることができるため、簡易な回路構成でよく、また、消費電力を低く抑えることができる。
【００２４】
更に、本発明によれば、使用者は、保証される電源投入時間が経過したことを、発光ダイオードの点灯によって使用者に知らせることができるため、簡易な回路構成でよく、また、消費電力を低く抑えることができる。
【発明を実施するための最良の形態】
【００２５】
本発明の実施の形態を、図面を参照して説明する。尚、以下の実施例は本発明の具体例に過ぎず、本発明が以下の実施形態に限定されるものではない。
【実施例１】
【００２６】
図２は、本実施例の保証時間経過状態表示装置を示す図である。図１は、本実施例の保証時間経過状態表示装置の使用形態を示す図である。図４は、本実施例の保証時間経過状態表示装置の構成を示すブロック図である。
【００２７】
保証時間経過状態表示装置１は、ＵＳＢコネクタ１１、ＵＳＢケーブル１２、電源投入状態判定手段２、計時手段３、電源投入時間判定手段４１、電源投入時間用表示手段７１、及び電池７４を備える。コンピュータ８は、ＵＳＢポート８１を備える。コンピュータ８の電源が投入されると、ＵＳＢポート８１には、ＵＳＢ規格で規定されている電圧が出力される。
【００２８】
電源投入状態判定手段２は、ＵＳＢケーブル１２及びＵＳＢコネクタ１１を介してＵＳＢポート８１と接続されており、ＵＳＢポート８１の電圧を検出することができる。電源投入状態判定手段２は、ＵＳＢポート２に規定の電圧が出力されている場合に、コンピュータ８の電源が投入されていると判定する。
【００２９】
計時手段３には、保守契約によって保証される電源投入時間が予めセットされており、コンピュータ８の電源が投入されていると電源投入状態判定手段２が判定している間は、減算計時を行い、コンピュータ８の電源が投入されていると電源投入状態判定手段２が判定していない間は、減算計時を停止する。ここで、「減算計時」とは、計時手段３の示す時間が、時間の経過に応じて減るカウント方法を意味する（例えば、Ｘ分後には、計時手段３の示す時間はＸ分だけ減る。）。
【００３０】
電源投入時間判定手段４１は、計時手段３の示す時間がゼロになったか否かを判定すると共に、ゼロになったと判定した後は、保守契約によって保証される電源投入時間が経過したことを電源投入時間用表示手段７１に表示させる。電源投入時間用表示手段７１は、発光ダイオードであり、点灯して、保守契約によって保証される電源投入時間が経過したことを使用者に知らせる。
【００３１】
電池７４は、電源投入状態判定手段２、計時手段３、電源投入時間判定手段４１、及び電源投入時間用表示手段７１に電力を供給する。
【００３２】
このように保証時間経過状態表示装置１を構成すると、コンピュータ８の電源が投入されている間だけ、計時手段３の時間を減算計時することができる。従って、本実施例の保証時間経過状態表示装置１は、外部から電源の供給を受けることなく、保守契約によって保証される電源投入時間をカウントし、保証される電源投入時間が経過した際には、その旨表示することができる。
【実施例２】
【００３３】
図２は、本実施例の保証時間経過状態表示装置を示す図である。図１は、本実施例の保証時間経過状態表示装置の使用形態を示す図である。図５は、本実施例の保証時間経過状態表示装置の構成を示すブロック図である。
【００３４】
保証時間経過状態表示装置１は、ＵＳＢコネクタ１１、ＵＳＢケーブル１２、電源投入状態判定手段２、計時手段３、電源投入時間判定手段４１、保証電源投入時間記憶手段５１、電源投入時間用表示手段７１、及び電池７４を備える。なお、コンピュータ８及び電源投入状態判定手段２は、実施例１の場合と同一であるため、説明は省略する。
【００３５】
計時手段３は、最初、ゼロにリセットされており、コンピュータ８の電源が投入されていると電源投入状態判定手段２が判定している間は、計時を行い、コンピュータ８の電源が投入されていると電源投入状態判定手段２が判定していない間は、計時を停止する。ここで、「計時」とは、計時手段３の示す時間が、時間の経過に応じて増すカウント方法を意味する（例えば、Ｘ分後には、計時手段３の示す時間はＸ分だけ増える。）。
【００３６】
保証電源投入時間記憶手段５１は、不揮発メモリであって、保守契約によって保証される電源投入時間を記憶する。電源投入時間判定手段４１は、保証電源投入時間記憶手段５１に記憶されている時間よりも計時手段３の示す時間の方が長いか否かを判定すると共に、計時手段３の示す時間の方が長いと判定した後は、保守契約によって保証される電源投入時間が経過したことを電源投入時間用表示手段７１に表示させる。電源投入時間用表示手段７１は、発光ダイオードであり、点灯して、保守契約によって保証される電源投入時間が経過したことを使用者に知らせる。
【００３７】
電池７４は、電源投入状態判定手段２、計時手段３、電源投入時間判定手段４１、及び電源投入時間用表示手段７１に電力を供給する。
【００３８】
このように保証時間経過状態表示装置１を構成すると、コンピュータ８の電源が投入されている間だけ、計時手段３の時間を計時することができる。従って、本実施例の保証時間経過状態表示装置１は、外部から電源の供給を受けることなく、保守契約によって保証される電源投入時間をカウントし、保証される電源投入時間が経過した際には、その旨表示することができる。
【実施例３】
【００３９】
図３は、本実施例の保証時間経過状態表示装置を示す図である。図１は、本実施例の保証時間経過状態表示装置の使用形態を示す図である。図６は、本実施例の保証時間経過状態表示装置の構成を示すブロック図である。
【００４０】
保証時間経過状態表示装置１は、ＵＳＢコネクタ１１、ＵＳＢケーブル１２、電源投入状態判定手段２、計時手段３、電源投入時間判定手段４１、電源投入時間算出手段４２、保証電源投入時間記憶手段５１、算出時間記憶手段５２、累積電源投入時間記憶手段５３、電源投入開始時間記憶手段５４、保証設置時間記憶手段５５、設置時間判定手段６１、電源投入時間用表示手段７１、設置時間用表示手段７２、計時開始スイッチ７３、及び電池７４を備える。なお、コンピュータ８及び電源投入状態判定手段２は、実施例１の場合と同一であるため、説明は省略する。
【００４１】
計時手段３は、計時開始スイッチ７３がオンされた時に、ゼロから計時を開始する。電源投入開始時間記憶手段５４は、コンピュータ８の電源が投入されたと電源投入状態判定手段２が判定した時に、計時手段３の示す時間を記憶する。
【００４２】
電源投入時間算出手段４２は、計時手段３の示す時間から電源投入開始時間記憶手段５４に記憶されている時間を減じ、累積電源投入時間記憶手段５３に記憶されている時間を加えて、その時点までにコンピュータ８の電源が投入されていた累積の時間を算出する。算出時間記憶手段５２は、電源投入時間算出手段４２によって算出された時間を記憶する。累積電源投入時間記憶手段５３は、コンピュータ８の電源が切断されたと電源投入状態判定手段２が判定した時に、算出時間記憶手段５２に記憶されている時間を読み出して記憶する。
【００４３】
保証電源投入時間記憶手段５１は、保守契約によって保証される電源投入時間を記憶する。電源投入時間判定手段４１は、保証電源投入時間記憶手段５１に記憶されている時間よりも算出時間記憶手段５２に記憶されている時間の方が長いか否かを判定すると共に、算出時間記憶手段５２に記憶されている時間の方が長いと判定した後は、保守契約によって保証される電源投入時間が経過したことを電源投入時間用表示手段７１に表示させる。電源投入時間用表示手段７１は、発光ダイオードであり、点灯して、保守契約によって保証される電源投入時間が経過したことを使用者に知らせる。
【００４４】
保証設置時間記憶手段５５は、保守契約によって保証される設置時間を記憶する。設置時間判定手段６１は、保証設置時間記憶手段５５に記憶されている時間よりも計時手段３の示す時間の方が長いか否かを判定すると共に、計時手段３の示す時間の方が長いと判定した後は、保守契約によって保証される設置時間が経過したことを設置時間用表示手段７２に表示させる。設置時間用表示手段７２は、発光ダイオードであり、点灯して、保守契約によって保証される設置時間が経過したことを使用者に知らせる。
【００４５】
電池７４は、電源投入状態判定手段２、計時手段３、電源投入時間判定手段４１、電源投入時間用表示手段７１、電源投入時間算出手段４２、設置時間判定手段６１、及び設置時間用表示手段７２に電力を供給する。なお、保証電源投入時間記憶手段５１、算出時間記憶手段５２、累積電源投入時間記憶手段５３、電源投入開始時間記憶手段５４、及び保証設置時間記憶手段５５は、不揮発メモリである。
【００４６】
このように保証時間経過状態表示装置１を構成すると、電源投入時間に加えて、設置時間もカウントすることができる。従って、本実施例の保証時間経過状態表示装置１は、外部から電源の供給を受けることなく、保守契約によって保証される電源投入時間及び設置時間をカウントし、保証される電源投入時間が経過した際及び保証される設置時間が経過した際には、その旨表示することができる。
【実施例４】
【００４７】
図３は、本実施例の保証時間経過状態表示装置を示す図である。図１は、本実施例の保証時間経過状態表示装置の使用形態を示す図である。図７は、本実施例の保証時間経過状態表示装置の構成を示すブロック図である。
【００４８】
保証時間経過状態表示装置１は、ＵＳＢコネクタ１１、ＵＳＢケーブル１２、電源投入状態判定手段２、計時手段３、制御手段４、記憶手段５、設置時間判定手段６１、電源投入時間用表示手段７１、設置時間用表示手段７２、計時開始スイッチ７３、及び電池７４を備える。なお、コンピュータ８及び電源投入状態判定手段２は、実施例１の場合と同一であるため、説明は省略する。
【００４９】
計時手段３は、計時開始スイッチ７３がオンされた時に、ゼロから計時を開始する。記憶手段５は、保証電源投入時間記憶領域、算出時間記憶領域、累積電源投入時間記憶領域、電源投入開始時間記憶領域、及び保証設置時間記憶領域を有する。
【００５０】
設置時間判定手段６１は、記憶手段５の保証設置時間記憶領域に記憶されている時間よりも計時手段３の示す時間の方が長いか否かを判定すると共に、計時手段３の示す時間の方が長いと判定した後は、保守契約によって保証される設置時間が経過したことを設置時間用表示手段７２に表示させる。設置時間用表示手段７２は、発光ダイオードであり、点灯して、保守契約によって保証される設置時間が経過したことを使用者に知らせる。
【００５１】
制御手段４は、記憶手段５と、保証される電源投入時間が経過したことを表示する電源投入時間用表示手段７１とを制御する。電池７４は、電源投入状態判定手段２、計時手段３、制御手段４、電源投入時間用表示手段７１、設置時間判定手段６１、及び設置時間用表示手段７２に電力を供給する。なお、記憶手段５は、不揮発メモリである。
【００５２】
続いて、このように構成された保証時間経過状態表示装置１における処理の流れを説明する。図８は、本実施例の保証時間経過状態表示装置１における制御手段４の処理の流れを示すフローチャートである。この処理は、計時開始スイッチ７３がオンされて、計時手段３がゼロから計時を開始すると同時に、開始される。
【００５３】
ここで、記憶手段５の保証電源投入時間記憶領域と保証設置時間記憶領域とには、それぞれ、保守契約によって保証される電源投入時間と設置時間とが予め記憶されている。また、記憶手段５の累積電源投入時間記憶領域と電源投入開始時間記憶領域には、ゼロが初期値として記憶されている。
【００５４】
ステップＳ１１０で、制御手段４は、コンピュータ８の電源が投入されていると電源投入状態判定手段２が判定している場合は、ステップＳ１２０に処理を進め、そうでない場いいは、ステップＳ１１０に処理を進める。
【００５５】
ステップＳ１２０で、制御手段４は、計時手段３から時間を読み出し、記憶手段５の電源投入開始時間記憶領域に記憶し、ステップＳ１３０に処理を進める。
【００５６】
ステップＳ１３０で、制御手段４は、計時手段３の示す時間から、記憶手段５の電源投入開始時間記憶領域に記憶されている時間を減じ、更に記憶手段５の累積電源投入時間記憶領域に記憶されている時間を加えて、その時点までにコンピュータ８の電源が投入されていた累積の時間を算出し、この時間を記憶手段５の算出時間記憶領域に記憶させ、ステップＳ１４０に処理を進める。
【００５７】
ステップＳ１４０で、制御手段４は、記憶手段５の保証電源投入時間記憶領域に記憶されている時間よりも、記憶手段５の算出時間記憶領域に記憶されている時間の方が長い場合（即ち、保守契約によって保証される電源投入時間を経過した場合）は、ステップＳ１５０に処理を進め、そうでない場合は、ステップＳ１６０に処理を進める。
【００５８】
ステップＳ１５０で、制御手段４は、保守契約によって保証される電源投入時間が経過したことを電源投入時間用表示手段７１に表示させ、処理を終了する。ここで、電源投入時間用表示手段７１は、発光ダイオードであり、点灯して、保守契約によって保証される電源投入時間が経過したことを使用者に知らせる。
【００５９】
ステップＳ１６０で、制御手段４は、コンピュータ８の電源が投入されていると電源投入状態判定手段２が判定している場合は、ステップＳ１３０に処理を進め、そうでない場いいは、ステップＳ１７０に処理を進める。
【００６０】
ステップＳ１７０で、制御手段４は、記憶手段５の算出時間記憶領域に記憶されている時間を読み出し、この時間を記憶手段５の累積電源投入時間記憶領域に記憶させ、ステップＳ１１０に処理を進める。
【００６１】
このように保証時間経過状態表示装置１を構成すると、電源投入時間に加えて、設置時間もカウントすることができる。従って、本実施例の保証時間経過状態表示装置１は、外部から電源の供給を受けることなく、保守契約によって保証される電源投入時間及び設置時間をカウントし、保証される電源投入時間が経過した際及び保証される設置時間が経過した際には、その旨表示することができる。
【００６２】
以上述べたように、本発明では、コンピュータに不具合が発生し、コンピュータが起動できない場合であっても、コンピュータの保証時間の経過状態を表示することができる保証時間経過状態表示装置を提供することができる。
【図面の簡単な説明】
【００６３】
【図１】本発明の実施例１乃至４の保証時間経過状態表示装置の使用形態を示す図である。
【図２】本発明の実施例１及び２の保証時間経過状態表示装置を示す図である。
【図３】本発明の実施例３及び４の保証時間経過状態表示装置を示す図である。
【図４】本発明の実施例１の保証時間経過状態表示装置の構成を示すブロック図である。
【図５】本発明の実施例２の保証時間経過状態表示装置の構成を示すブロック図である。
【図６】本発明の実施例３の保証時間経過状態表示装置の構成を示すブロック図である。
【図７】本発明の実施例４の保証時間経過状態表示装置の構成を示すブロック図である。
【図８】本発明の実施例４の保証時間経過状態表示装置における制御手段の処理の流れを示すフローチャートである。
【符号の説明】
【００６４】
１  保証時間経過状態表示装置
２  電源投入状態判定手段
３  計時手段
４  制御手段
４１  電源投入時間判定手段
４２  電源投入時間算出手段
５  記憶手段
５１  保証電源投入時間記憶手段
５２  算出時間記憶手段
５３  累積電源投入時間記憶手段
５４  電源投入開始時間記憶手段
５５  保証設置時間記憶手段
６１  設置時間判定手段
７１  電源投入時間用表示手段
７２  設置時間用表示手段
７３  計時開始スイッチ
７４  電池
８  コンピュータ
８１  ＵＳＢポート
【図１】
2008250675.tif 000003
【図２】
2008250675.tif 000004
【図３】
2008250675.tif 000005
【図４】
2008250675.tif 000006
【図５】
2008250675.tif 000007
【図６】
2008250675.tif 000008
【図７】
2008250675.tif 000009
【図８】
2008250675.tif 000010